(57)【要約】      （修正有）【課題】ピント位置ずれが防止できるカメラを提供する。【解決手段】複数の交換レンズ２００を選択的に装着可能なカメラ１において、カメラの複数の撮影状態のそれぞれに応じて決まる交換レンズの複数の特性値を、交換レンズを識別する情報と関連付けて記憶する記憶手段１１６を備え、また装着された交換レンズの光学系を介した光束に基づいて、光学系の焦点調節状態を検出する焦点検出手段１０８を備え、焦点検出手段は、特性値に基づいて焦点調節状態を補正する。【選択図】図１
2013145385.tif 000002
【特許請求の範囲】
【請求項１】
複数の交換レンズを選択的に装着可能なカメラにおいて、
前記カメラの複数の撮影状態のそれぞれに応じて決まる前記交換レンズの複数の特性値を、前記交換レンズを識別する情報と関連付けて記憶する記憶手段を備えたことを特徴とするカメラ。
【請求項２】
請求項１記載のカメラにおいて、
装着された前記交換レンズの光学系を介した光束に基づいて、前記光学系の焦点調節状態を検出する焦点検出手段を備え、
前記焦点検出手段は、前記特性値に基づいて前記焦点調節状態を補正することを特徴とするカメラ。
【請求項３】
請求項２記載のカメラにおいて、
前記焦点検出手段は、前記光学系による像面内の複数位置に対応して設定される複数の焦点検出位置のそれぞれに対して前記焦点調節状態を検出可能であり、
前記記憶手段は、前記複数の焦点検出位置のそれぞれに対応する前記特性値を記憶することを特徴とするカメラ。
【請求項４】
請求項１〜３の何れか一項に記載のカメラにおいて、
前記記憶手段は、前記交換レンズの光学系の異なる撮影距離に応じた複数の前記特性値を記憶することを特徴とするカメラ。
【請求項５】
請求項１〜４の何れか一項に記載のカメラにおいて、
前記記憶手段は、前記交換レンズの光学系の焦点距離に応じた複数の前記特性値を記憶することを特徴とするカメラ。
【請求項６】
請求項１〜５の何れか一項に記載のカメラにおいて、
前記記憶手段は、前記特性値を追加して記憶可能であることを特徴とするカメラ。
【請求項７】
請求項１〜６の何れか一項に記載のカメラにおいて、
前記特性値は、前記光学系の収差に起因する前記光学系の像面位置の偏差を表わす値であることを特徴とするカメラ。
【発明の詳細な説明】
【技術分野】
【０００１】
本発明は、カメラに関するものである。
【背景技術】
【０００２】
位相差検出方式による焦点検出において、交換レンズに記憶しておいた像面湾曲データを焦点検出手段の検出開口の大きさや焦点検出位置のデータに基づいてデフォーカス量を補正するものが知られている（特許文献１参照）。
【０００３】
しかしながら、撮影条件によっては、デフォーカス量の補正が適切に行われずピント位置がずれるという問題があった。
【先行技術文献】
【特許文献】
【０００４】
【特許文献１】特許第３２１４０９９号公報
【発明の概要】
【発明が解決しようとする課題】
【０００５】
本発明が解決しようとする課題は、より高精度に焦点検出可能なカメラを提供することである。
【課題を解決するための手段】
【０００６】
本発明は、以下の解決手段によって上記課題を解決する。なお、本発明の実施形態を示す図面に対応する符号を付して説明するが、この符号は本発明の理解を容易にするためだけのものであって本発明を限定する趣旨ではない。
【０００７】
［１］本発明に係るカメラは、複数の交換レンズ（２００）を選択的に装着可能なカメラ（１）において、カメラの複数の撮影状態のそれぞれに応じて決まる交換レンズの複数の特性値を、交換レンズを識別する情報と関連付けて記憶する記憶手段（１１６）を備えたことを特徴とする。
【０００８】
上記発明において、装着された交換レンズの光学系を介した光束に基づいて、光学系の焦点調節状態を検出する焦点検出手段（１０８）を備え、焦点検出手段は、特性値に基づいて焦点調節状態を補正するよう構成することができる。
【０００９】
上記発明において、焦点検出手段は、光学系による像面内の複数位置に対応して設定される複数の焦点検出位置のそれぞれに対して焦点調節状態を検出可能であり、記憶手段は、複数の焦点検出位置のそれぞれに対応する特性値を記憶するよう構成することができる。
【００１０】
上記発明において、記憶手段は、交換レンズの光学系の異なる撮影距離に応じた複数の特性値または、交換レンズの光学系の焦点距離に応じた複数の特性値を記憶することができる。
【００１１】
上記発明において、記憶手段は、特性値を追加して記憶可能とすることができる。
【００１２】
上記発明において、特性値は、たとえば光学系の収差に起因する光学系の像面位置の偏差を表わす値を挙げることができる。
【発明の効果】
【００１３】
本発明は、撮影条件によらず高精度な焦点検出が可能となる。
【図面の簡単な説明】
【００１４】
【図１】本発明の実施形態に係るカメラを示すブロック図である。
【図２】図１に示すＡＦモジュールを示す図である。
【図３】本発明の実施形態に係るカメラのデフォーカス量算出エリアを示す図である。
【図４】本発明の実施形態に係るカメラの動作を示すフローチャートである。
【図５】本発明の他の実施形態に係るカメラの動作を示すフローチャートである。
【図６】本発明のさらに他の実施形態に係るカメラの動作を示すフローチャートである。
【発明を実施するための形態】
【００１５】
以下、本発明の実施形態を図面に基づいて説明する。
【００１６】
図１は本発明の実施形態に係るカメラを示すブロック図である。本実施形態に係るカメラ１は、カメラボディ１００と、該カメラボディ１００に着脱自在に装着される交換レンズ２００を有する。
【００１７】
交換レンズ２００には、光軸３に沿って移動可能なフォーカスレンズ２０２と、このフォーカスレンズ２０２を光軸３に沿って移動させるレンズ駆動モータ２０４が設けられている。
【００１８】
フォーカスレンズ２０２の光軸３に沿う移動機構の具体的構成は特に限定されないが、一例として、レンズ鏡筒２００に固定された固定筒に回転可能に回転筒を挿入し、この回転筒の内周面にヘリコイド溝（螺旋溝）を形成するとともに、フォーカスレンズ２０２を固定するレンズ枠の端部をヘリコイド溝に嵌合させる。そして、レンズ駆動モータ２０４によって回転筒を回転させることで、レンズ枠に固定されたフォーカスレンズが光軸３に沿って直進移動することになる。
【００１９】
なお、レンズ鏡筒２００にはフォーカスレンズ２０２以外のレンズ群が設けられているが、ここではフォーカスレンズ２０２を例に挙げて本実施形態を説明する。
【００２０】
上述したようにレンズ鏡筒２００に対して回転筒を回転させることによりレンズ枠に固定されたフォーカスレンズ２０２は光軸３方向に直進移動するが、その駆動源としてのレンズ駆動モータ２０４（アクチュエータ）がレンズ鏡筒２００に設けられている。レンズ駆動モータ２０４と回転筒とは、たとえば複数の歯車からなる変速機で連結され、レンズ駆動モータ２０４の駆動軸を何れか一方向へ回転駆動すると所定のギヤ比で回転筒に伝達され、そして、回転筒が何れか一方向へ回転することで、レンズ枠に固定されたフォーカスレンズ２０２が光軸３の何れかの方向へ直進移動することになる。なお、レンズ駆動モータ２０４の駆動軸が逆方向に回転駆動すると、変速機を構成する複数の歯車も逆方向に回転し、フォーカスレンズ２０２は光軸３の逆方向へ直進移動することになる。
【００２１】
フォーカスレンズ２０２は、上述した回転筒の回転によってカメラボディ側の端部（至近端ともいう）から被写体側の端部（無限端ともいう）までの間を光軸方向に移動することができ、この移動はカメラボディ１００のレンズ駆動制御部１１２からの指令によって制御される。
【００２２】
カメラボディ１００には、二次元ＣＣＤイメージセンサ、ＭＯＳセンサまたはＣＩＤなどで構成される撮像素子１０２が設けられ、該撮像素子１０２で光電変換された電気画像信号は、図示しないメモリに格納される。
【００２３】
撮像素子１０２の前面には、所定の角度だけ回転可能なハーフミラー１０４と、該ハーフミラー１０４とともに回転する全反射ミラー１０６が設けられている。このハーフミラー１０４および全反射ミラー１０６は、自動合焦動作を行うオートフォーカスモードにおいては、実線で図示する位置にあり、この状態でシャッターを押すと二点鎖線で示す位置に回転して、被写体像を撮像装置１０２に結像させる。
【００２４】
また、カメラボディ１００には、自動合焦調節を行うためのオートフォーカスモジュール１０８（以下、ＡＦモジュールともいう）が設けられ、全反射ミラー１０６からの光束をＡＦモジュール１０８へ反射させる全反射ミラー１１０が設けられている。
【００２５】
そして、オートフォーカスモードにおいては、同図に実線で示す位置にハーフミラー１０４と全反射ミラー１０６が位置するので、被写体からの光束は、フォーカスレンズ２０２を通ってハーフミラー１０４に導かれ、その一部は該ハーフミラー１０４を透過し、全反射ミラー１０６，１１０によりＡＦモジュール１０８に入力する。このＡＦモジュール１０８にて、この被写体光を用いた位相差検出方式による自動合焦制御が実行される。
【００２６】
一方、ハーフミラー１０４で反射された被写体光の一部は、ファインダースクリーン１２２を通過して、ファインダーのペンタプリズム１１８に導かれ、ペンタプリズム１１８で折曲されたのち接眼レンズ１２０を通って撮影者の眼球に導かれる。これにより、ファインダーを通して被写体およびその背景等を観察することができる。
【００２７】
図２は図１に示すＡＦモジュール１０８の構成を示す図であり、いわゆる位相差方式の焦点検出素子である。本例のＡＦモジュール１０８は、コンバータレンズ１０８ａ、一対の開口１０８ｂ，１０８ｃが形成された絞りマスク１０８ｂ、一対の再結像レンズおよび一対のラインセンサ１０８ｇ，１０８ｈを有し、交換レンズ２００の射出光束から２つの部分光束が取り出され、各々の部分光束の結像位置の違いによりピント状態を検出する。
【００２８】
そして、同図に示すように被写体像が撮像素子１０２の等価面１０８ｉで結像すると合焦状態となるが、撮像レンズ２０２が光軸方向に移動することで、結像点が等価面１０８ｉより被写体２側にずれたり（前ピンと称される）、カメラボディ１００側にずれたりすると（後ピンと称される）、ピントずれの状態となる。
【００２９】
なお、被写体像の結像点が等価面１０８ｉより被写体２側にずれると、一対のラインセンサ１０８ｇ，１０８ｈで検出される出力値の間隔Ｌが、合焦状態の間隔Ｌに比べて短くなり、逆に被写体像の結像点がカメラボディ１００側にずれると、一対のラインセンサ１０８ｇ，１０８ｈで検出される出力値の間隔Ｌが、合焦状態の間隔Ｌに比べて長くなる。
【００３０】
すなわち、合焦状態では一対のラインセンサ１０８ｇ，１０８ｈで検出される出力値がラインセンサの中心に対して重なるが、非合焦状態ではラインセンサの中心に対して各出力値がずれる、すなわち位相差が生じるので、この位相差（ずれ量）がゼロとなるようにフォーカスレンズ２０２を移動させることでピントを合わせる。
【００３１】
レンズ駆動制御部１１２は、オートフォーカスモードにおいて、上述したＡＦモジュール１０８からの位相差ΔＬを取り込みながら、レンズ駆動モータ２０４へ駆動指令を送出し、ＡＦモジュール１０８で検出される位相差ΔＬがゼロとなる位置でフォーカスレンズ２０２を停止する。
【００３２】
本実施形態の交換カメラ２００にはレンズ情報出力部２０８が設けられ、カメラボディ１００のデフォーカス量補正部１１４から要求信号が入力されると、その交換レンズの型式などの種別を示すレンズ種別情報、ズームレンズの焦点距離の変化にしたがって変化する、現在の焦点距離を示すズーム位置情報、フォーカスレンズの移動にしたがって変化する、レンズ距離位置を示すレンズ距離位置情報、焦点距離とレンズ距離位置に対応した球面収差情報と像面湾曲情報などがデフォーカス量補正部１１４へ送出される。
【００３３】
これに対して、カメラボディ１００にはＲＯＭやＲＡＭで構成されるメモリ１１６が設けられ、ここに使用者が所有する特定の交換レンズのレンズ種別情報と、それぞれの交換レンズに関連付けられた、その交換レンズ固有のピントずれ量が格納されている。この交換レンズ固有のピントずれ量とは、使用者が所有する特定の交換レンズをそのカメラボディに装着した場合に、ＡＦモジュール１０８で実行される合焦操作でなお残存するピントずれ量である。このような交換レンズ固有のピントずれ量は、交換レンズの個体間、撮影画面の焦点検出位置、焦点距離および撮影距離などの影響を受ける球面収差が原因であると考えられる。
【００３４】
なお、このメモリ１１６へこうした情報を格納するのは、使用者がカメラのメニュー画面などを使用してマニュアル入力したり、サービスセンターなどで製造業者等が入力したりすることができる。
【００３５】
デフォーカス量補正部１１４は、レンズ情報出力部２０８から取得した、その交換レンズ２００のレンズ種別情報と、メモリ１１６に格納された情報とを比較し、その交換レンズ２００のレンズ種別情報と一致する情報が存在する場合には、その交換レンズ固有のピントずれ量をメモリ１１６から読み出し、このずれ量に相当する補正量を演算した上で、レンズ駆動制御部１１２へその補正量を送出する。
【００３６】
レンズ駆動制御部１１２では、デフォーカス量補正部１１４からの補正量を考慮しながらＡＦモジュール１０８からの位相差Δがゼロとなる位置へフォーカスレンズ２０２を移動する。
【００３７】
《第１実施形態》
交換レンズ２００のレンズ固有のピントずれ量は、たとえばデフォーカス量を算出するエリアが複数設定されている場合の、エリア毎にも相違する。図３は本実施形態に係るカメラ１のデフォーカス量算出エリアを示す撮像素子１０２の正面図である。
【００３８】
本例では、デフォーカス量の算出エリアが、左側エリア１０２−１と、中央の横エリア１０２−２と、中央の縦エリア１０２−３と、右側エリア１０２−４という４エリアに設定され、それぞれデフォーカス量Ｄｆ１，ＤＦ２，Ｄｆ３，ＤＦ４が検出されるものとする。なお、同図に示すデフォーカス量算出エリア１０２−１〜１０２−４の具体的位置や数は何ら限定されるものではない。
【００３９】
この場合に、メモリ１１６に格納される情報としては、少なくとも、使用者が所有する特定の交換レンズのレンズ種別情報と、上述した左側エリア１０２−１、中央の横エリア１０２−２、中央の縦エリア１０２−３および右側エリア１０２−４のそれぞれに対応する特定レンズのピントずれ量Ｐｚ１，Ｐｚ２，Ｐｚ３，Ｐｚ４である。
【００４０】
図４は本実施形態に係るカメラの動作を示すフローチャートである。４つのデフォーカス量算出エリア毎かつ特定の交換レンズ毎のピントずれ量がメモリ１１６に格納された状態で、デフォーカス量補正部１１４から交換レンズ２００のレンズ情報出力部２０８へ要求信号を送出し、レンズ情報出力部２０８からその交換レンズ２００のレンズ種別情報を読み出す（ステップＳ４０１）。
【００４１】
デフォーカス量補正部１１４は、レンズ情報出力部２０８から読み出されたレンズ種別情報を、メモリ１１６に格納されたレンズ種別情報を比較し、一致する情報があればステップＳ４０３へ進む（ステップＳ４０２）。
【００４２】
ステップＳ４０３では、メモリ１１６にそのレンズ種別情報に関連付けて格納された、左側エリア１０２−１、中央の横エリア１０２−２、中央の縦エリア１０２−３および右側エリア１０２−４のそれぞれに対応する特定レンズのピントずれ量Ｐｚ１，Ｐｚ２，Ｐｚ３，Ｐｚ４を読み出し、下記補正式で補正したうえでその補正後のデフォーカス量Ｄｆ１，ＤＦ２，Ｄｆ３，ＤＦ４（下記補正式の左辺）をレンズ駆動制御部１１２へ送出する。
【００４３】
（数１）
Ｄｆ１＝Ｄｆ１−Ｐｚ１ 
Ｄｆ２＝Ｄｆ２−Ｐｚ２ 
Ｄｆ３＝Ｄｆ３−Ｐｚ３ 
Ｄｆ４＝Ｄｆ４−Ｐｚ４
レンズ駆動制御部１１２では、デフォーカス量補正部１１４からの補正量を考慮しながらＡＦモジュール１０８からの位相差Δがゼロとなる位置へフォーカスレンズ２０２を移動する。
【００４４】
なお、ステップＳ４０２にて、レンズ情報出力部２０８から読み出されたレンズ種別情報がメモリ１１６に格納されたレンズ種別情報の中に該当するものがない場合にはステップＳ４０３をジャンプして補正処理を終了する。
【００４５】
本実施形態では、交換レンズ毎かつデフォーカス量算出エリア毎のピントずれ量を補正するので、ピントずれを防止することができる。
【００４６】
《第２実施形態》
図５は本発明の他の実施形態に係るカメラの動作を示すフローチャートである。本例では、交換レンズ２００のズームレンズ位置が変化する場合の、該ズームレンズ位置毎にも相違する。
【００４７】
この場合に、メモリ１１６に格納される情報としては、少なくとも、使用者が所有する特定の交換レンズのレンズ種別情報と、広角端と望遠端のズーム位置情報Ｚｗ，Ｚｔと、これらそれぞれに対応する特定レンズのピントずれ量Ｐｗ，Ｐｔである。
【００４８】
広角端と望遠端のズーム位置情報Ｚｗ，Ｚｔと、これらそれぞれに対応する特定レンズのピントずれ量Ｐｗ，Ｐｔがメモリ１１６に格納された状態で、デフォーカス量補正部１１４から交換レンズ２００のレンズ情報出力部２０８へ要求信号を送出し、レンズ情報出力部２０８からその交換レンズ２００のレンズ種別情報を読み出す（ステップＳ５０１）。
【００４９】
デフォーカス量補正部１１４は、レンズ情報出力部２０８から読み出されたレンズ種別情報を、メモリ１１６に格納されたレンズ種別情報を比較し、一致する情報があればステップＳ５０３へ進む（ステップＳ５０２）。
【００５０】
ステップＳ５０３では、メモリ１１６にそのレンズ種別情報に関連付けて格納された、広角端と望遠端のズーム位置情報Ｚｗ，Ｚｔと、これらそれぞれに対応する特定レンズのピントずれ量Ｐｗ，Ｐｔを読み出し、さらにレンズ情報出力部２０８から現在のズーム位置情報Ｚを読み出し、下記式でピントずれ量Ｐｚを直線補間して求める。
【００５１】
（数２）
Ｐｚ＝Ｐｗ＋（Ｐｔ−Ｐｗ）×（Ｚ−Ｚｗ）／（Ｚｔ−Ｚｗ）
そして、ステップＳ５０４では、求められたピントずれ量Ｐｚを下記補正式で補正したうえでその補正後のデフォーカス量Ｄｆ（下記補正式の左辺）をレンズ駆動制御部１１２へ送出する。
【００５２】
（数３）
Ｄｆ＝Ｄｆ−Ｐｚ
レンズ駆動制御部１１２では、デフォーカス量補正部１１４からの補正量を考慮しながらＡＦモジュール１０８からの位相差Δがゼロとなる位置へフォーカスレンズ２０２を移動する。
【００５３】
なお、ステップＳ５０２にて、レンズ情報出力部２０８から読み出されたレンズ種別情報がメモリ１１６に格納されたレンズ種別情報の中に該当するものがない場合にはステップＳ５０３，Ｓ５０４をジャンプして補正処理を終了する。
【００５４】
本実施形態では、交換レンズ毎かつズーム位置毎のピントずれ量を補正するので、ピントずれを防止することができる。
【００５５】
なお、本実施形態ではメモリ１１６に格納するズーム位置情報は広角端と望遠端の２箇所としたが、補正精度を向上させるためにさらに中間のズーム位置情報Ｚｍと、これに対応するピントずれ量Ｐｍを追加することもできる。この場合には上記数２式に代えて下記式を用いてピンとずれ量Ｐｚを求める。
【００５６】
（数４）
Ｚｍ≦Ｚのとき：
Ｐｚ＝Ｐｍ＋（Ｐｔ−Ｐｍ）×（Ｚ−Ｚｍ）／（Ｚｔ−Ｚｍ）
Ｚｍ＞Ｚのとき：
Ｐｚ＝Ｐｗ＋（Ｐｍ−Ｐｗ）×（Ｚ−Ｚｗ）／（Ｚｍ−Ｚｗ）
また、上述した第１実施形態と本例とを組み合わせ、本例にて、複数エリアでデフォーカス量を算出するよう構成する場合には、ピントずれ量Ｐｗ，Ｐｔ，Ｐｍを複数エリアに対応させてそれぞれ複数格納し、各エリアに対応したピントずれ量を用いて数２式または数４式によって現在のズーム位置に対応したピントずれ量を算出し、エリア毎にデフォーカス量を補正することもできる。
【００５７】
《第３実施形態》
図６は本発明のさらに他の実施形態に係るカメラの動作を示すフローチャートである。本例では、交換レンズ２００のフォーカスレンズ位置が変化する場合の、該フォーカスズームレンズ位置毎にも相違する。
【００５８】
この場合に、メモリ１１６に格納される情報としては、少なくとも、使用者が所有する特定の交換レンズのレンズ種別情報と、無限端と至近端のレンズ距離位置情報Ｄｉ，Ｄｎと、これらそれぞれに対応する特定レンズのピントずれ量Ｐｉ，Ｐｎである。
【００５９】
無限端と至近端のレンズ距離位置情報Ｄｉ，Ｄｎと、これらそれぞれに対応する特定レンズのピントずれ量Ｐｉ，Ｐｎがメモリ１１６に格納された状態で、デフォーカス量補正部１１４から交換レンズ２００のレンズ情報出力部２０８へ要求信号を送出し、レンズ情報出力部２０８からその交換レンズ２００のレンズ種別情報を読み出す（ステップＳ６０１）。
【００６０】
デフォーカス量補正部１１４は、レンズ情報出力部２０８から読み出されたレンズ種別情報を、メモリ１１６に格納されたレンズ種別情報を比較し、一致する情報があればステップＳ６０３へ進む（ステップＳ６０２）。
【００６１】
ステップＳ６０３では、メモリ１１６にそのレンズ種別情報に関連付けて格納された、無限端と至近端のレンズ距離位置情報Ｄｉ，Ｄｎと、これらそれぞれに対応する特定レンズのピントずれ量Ｐｉ，Ｐｎを読み出し、さらにレンズ情報出力部２０８から現在のレンズ距離位置情報Ｄを読み出し、下記式でピントずれ量Ｐｄを直線補間して求める。
【００６２】
（数５）
Ｐｄ＝Ｐｎ＋（Ｐｉ−Ｐｎ）×（Ｄ−Ｄｎ）／（Ｄｉ−Ｄｎ）
そして、ステップＳ６０４では、求められたピントずれ量Ｐｄを下記補正式で補正したうえでその補正後のデフォーカス量Ｄｆ（下記補正式の左辺）をレンズ駆動制御部１１２へ送出する。
【００６３】
（数６）
Ｄｆ＝Ｄｆ−Ｐｄ
レンズ駆動制御部１１２では、デフォーカス量補正部１１４からの補正量を考慮しながらＡＦモジュール１０８からの位相差Δがゼロとなる位置へフォーカスレンズ２０２を移動する。
【００６４】
なお、ステップＳ６０２にて、レンズ情報出力部２０８から読み出されたレンズ種別情報がメモリ１１６に格納されたレンズ種別情報の中に該当するものがない場合にはステップＳ６０３，Ｓ６０４をジャンプして補正処理を終了する。
【００６５】
本実施形態では、交換レンズ毎かつレンズ距離位置毎のピントずれ量を補正するので、ピントずれを防止することができる。
【００６６】
なお、本実施形態ではメモリ１１６に格納するズーム位置情報は無限端と至近端の２箇所としたが、補正精度を向上させるためにさらに中間のレンズ距離位置情報Ｄｕと、これに対応するピントずれ量Ｐｕを追加することもできる。この場合には上記数５式に代えて下記式を用いてピンとずれ量Ｐｚを求める。
【００６７】
（数７）
Ｄｕ≦Ｄのとき：
Ｐｄ＝Ｐｕ＋（Ｐｉ−Ｐｕ）×（Ｄ−Ｄｕ）／（Ｄｉ−Ｄｕ）
Ｄｕ＞Ｄのとき：
Ｐｄ＝Ｐｎ＋（Ｐｕ−Ｐｎ）×（Ｄ−Ｄｕ）／（Ｄｕ−Ｄｎ）
また、上述した第１実施形態と本例とを組み合わせ、本例にて、複数エリアでデフォーカス量を算出するよう構成する場合には、ピントずれ量Ｄｉ，Ｄｎ，Ｄｕを複数エリアに対応させてそれぞれ複数格納し、各エリアに対応したピントずれ量を用いて数５式または数７式によって現在のレンズ距離位置に対応したピントずれ量を算出し、エリア毎にデフォーカス量を補正することもできる。
【００６８】
さらに、上述した第２実施形態と本例とを組み合わせ、本例にて、ズーム位置ごとにデフォーカス量を算出するよう構成する場合には、ピントずれ量Ｄｉ，Ｄｎ，Ｄｕを複数のズーム位置に対応させてそれぞれ複数格納し、各ズーム位置に対応したピントずれ量を用いて数５式または数７式によって現在のレンズ距離位置に対応したピントずれ量を算出し、ズーム位置毎にデフォーカス量を補正することもできる。
【００６９】
さらに、第１実施形態、第２実施形態および第３実施形態を組み合わせることもできる。この場合、メモリ１１６に格納するピントずれ量はエリア毎、ズーム位置毎、レンズ距離位置毎の組み合わせとなる。また、第１〜第３実施形態の任意の２つの実施形態を組み合わせることもできる。
【符号の説明】
【００７０】
１…カメラ；１００…カメラボディ；１０２…撮像素子；１０４…ハーフミラー
１０６…全反射ミラー；１０８…ＡＦモジュール；１１０…全反射ミラー
１１２…レンズ駆動制御部；１１４…デフォーカス量補正部
１１６…メモリ；１１８…ペンタプリズム；１２０…接眼レンズ
１２２…ファインダースクリーン
２００…交換レンズ；２０２…フォーカスレンズ；２０４…レンズ駆動モータ
２０８…レンズ情報出力部
【図１】
2013145385.tif 000003
【図２】
2013145385.tif 000004
【図３】
2013145385.tif 000005
【図４】
2013145385.tif 000006
【図５】
2013145385.tif 000007
【図６】
2013145385.tif 000008